(57)【要約】【課題】ファーストキーで運用されているシリンダー錠に、セカンドキーを使用するだけで、キーチェンジを行うことができるシリンダー錠の構造を提供する。【解決手段】シリンダー錠１１の構造において、鍵穴３７を有し外筒２１の内側に収容される内筒２３と、外筒２１のロック溝４１に進入し内筒２３の回転を阻止するとともに内筒２３への後退が許容され内筒２３を回転可能にするロッキングバー２５と、内筒２３に移動自在に設けられ鍵穴３７に挿入されたキーの使用によりタンブラ側バー進入凹部５１をロッキングバー２５の内筒２３への後退許容位置に配置する可変タンブラ２７と、可変タンブラ２７に相対移動自在とされ、切替溝５７と可変ピン６９との係合位置を段階的に複数備え、別のキーの使用によってタンブラ側バー進入凹部５１のバー進入を不能にして異なる位置でバー進入を許容するチップ側バー進入凹部６５を備える可変チップ２９と、を設けた。【選択図】  図２
2014163184.tif 000002
【特許請求の範囲】
【請求項１】
鍵穴を有し外筒の内側に回転自在に収容される内筒と、
前記内筒から突出して前記外筒のロック溝に進入して前記内筒の回転を阻止するとともに前記内筒への後退が許容されることで前記内筒を回転可能にするロッキングバーと、
前記内筒に移動自在に設けられ前記鍵穴に挿入されたキーの使用によりタンブラ側バー進入凹部を前記ロッキングバーの前記内筒への後退を許容する位置に配置する可変タンブラと、
前記可変タンブラの移動方向と略同方向に相対移動自在とされるとともに、該可変タンブラに対して一方向にのみ移動自在とされ、切替溝と可変ピンとの係合により該可変タンブラに対する相対移動不能となる係合位置を段階的に複数備え、前記キーとは別のキーの使用によって前記ロッキングバーの進入を許容していた前記タンブラ側バー進入凹部のバー進入を不能にして異なる位置でバー進入を許容するチップ側バー進入凹部を備える可変チップと、
を具備することを特徴とするシリンダー錠の構造。
【請求項２】
請求項１記載のシリンダー錠の構造であって、
前記切替溝が一端側凹所と他端側凹所とを有する略へ字状に形成され、
前記可変チップは、前記可変ピンが前記切替溝の一端側凹所または他端側凹所に配置されることで、前記可変タンブラに対して二位置に段階的に切り替え配置されることを特徴とするシリンダー錠の構造。
【請求項３】
請求項２記載のシリンダー錠の構造であって、
前記内筒には、前記ロッキングバーの前記内筒への後退により押圧されて半径方向内側に移動される可変仕切板が設けられ、
前記可変仕切板に前記可変チップがタンブラ付勢バネにより付勢されて設けられ、
前記ロッキングバーの後退により前記可変仕切板とともに移動された前記可変チップが、前記タンブラ付勢バネの付勢力によって前記可変タンブラに対し前記切替溝の一端側凹所から他端側凹所に移動されることを特徴とするシリンダー錠の構造。
【請求項４】
請求項２記載のシリンダー錠の構造であって、
切替中心軸と摺動長穴を係合させることで前記可変チップが前記可変タンブラに対して揺動及び前記摺動長穴の長手方向に移動自在に設けられ、
前記内筒と前記可変チップとの間には前記可変チップを前記摺動長穴の長手方向に付勢するタンブラ付勢バネが設けられ、
前記ロッキングバーの後退により押圧された前記可変チップが、前記タンブラ付勢バネの付勢力によって前記可変タンブラに対しへ字状の前記切替溝の一端側凹所から他端側凹所に移動されることを特徴とするシリンダー錠の構造。
【発明の詳細な説明】
【技術分野】
【０００１】
本発明は、シリンダー錠の構造に関する。
【背景技術】
【０００２】
専用キーを用いて施解錠操作が行なわれるシリンダー錠において、別の専用キーのみの使用を可能とするには、すなわち、当初の専用キーから別の専用キーに切り換えるには、別構成のピンタンブラとドライバピンとを組み込まなければならず、容易に変更を行うことはできない。また、入居者の交替の都度、シリンダー錠をそっくり交換すれば、多大な費用を負担しなければならない。そこで、シリンダー錠全体を交換することなく、安価に、しかも、容易な変更作業で、専用キーを変更することのできるシリンダー錠が提案されている（例えば特許文献１，２，３参照）。
例えば特許文献１に開示のシリンダー錠は、外筒の溝に進入し内筒の回転を阻止するロッキングバーと、内筒に設けられバー進入凹部にてロッキングバーをバー収容溝に後退可能にするタンブラを備えており、タンブラは第１タンブラと第２タンブラとからなり、第１タンブラと第２タンブラとが異なる複数の位置で選択的に連結可能となり、且つロッキングバーの移動にて連結解除可能となって、第１，第２タンブラとが組み換え可能となり、カギ違いが変更可能となる。このシリンダー錠は、内筒を所定の回転角度範囲に回転可能とする変更キーと、第２タンブラをスライド方向に位置規制して第１タンブラの位置を初期化するニュートラルキーとを備えていた。
【先行技術文献】
【特許文献】
【０００３】
【特許文献１】特開２００６−３２８８５４号公報
【特許文献２】特開２００６−３４８６５７号公報
【特許文献３】特開２０１１−７４６１３号公報
【発明の概要】
【発明が解決しようとする課題】
【０００４】
しかしながら、上記した従来のシリンダー錠は、所謂チェンジキーとなるニュートラルキーを有し、現状運用中の専用キーであるファーストキーの状態を、ニュートラルキーによりリセットして、それを抜いて別の専用キーであるセカンドキーを挿すことで変更、すなわち切り換えを行なう。すなわち、運用中のキーに対応するリセットキーをそれぞれ持つ必要があった。このようなニュートラルキーの存在は、紛失や数が増える等、管理上、不都合の生じることがある。
【０００５】
本発明は上記状況に鑑みてなされたもので、その目的は、当初の専用キーであるファーストキーで運用されているシリンダー錠に、ニュートラルキーなどの別途キーを必要とせず、別の専用キーとなるセカンドキーを使用するだけで、キーチェンジを行うことができる、すなわち新たに使用する別の専用キーにて操作を行なうのみで、その新たな専用キーでのみ操作可能となるシリンダー錠の構造を提供することにある。
【課題を解決するための手段】
【０００６】
次に、上記の課題を解決するための手段を、実施の形態に対応する図面を参照して説明する。
本発明の請求項１記載のシリンダー錠１１の構造は、鍵穴３７を有し外筒２１の内側に回転自在に収容される内筒２３と、
前記内筒２３から突出して前記外筒２１のロック溝４１に進入して前記内筒２３の回転を阻止するとともに前記内筒２３への後退が許容されることで前記内筒２３を回転可能にするロッキングバー２５と、
前記内筒２３に移動自在に設けられ前記鍵穴３７に挿入されたキーの使用によりタンブラ側バー進入凹部５１を前記ロッキングバー２５の前記内筒２３への後退を許容する位置に配置する可変タンブラ２７と、
前記可変タンブラ２７の移動方向と略同方向に相対移動自在とされるとともに、該可変タンブラ２７に対して一方向にのみ移動自在とされ、切替溝５７と可変ピン６９との係合により該可変タンブラ２７に対する相対移動不能となる係合位置を段階的に複数備え、前記キーとは別のキーの使用によって前記ロッキングバー２５の進入を許容していた前記タンブラ側バー進入凹部５１のバー進入を不能にして異なる位置でバー進入を許容するチップ側バー進入凹部６５を備える可変チップ２９と、
を具備することを特徴とする。
【０００７】
このシリンダー錠１１の構造では、キー（ファーストキー１３）を挿入した状態において、ロッキングバー２５とバー進入凹部６７とが一致し、ロッキングバー２５の内筒２３への後退が許容される状態となる。ここで、バー進入凹部６７は、タンブラ側バー進入凹部５１と、チップ側バー進入凹部６５とが重なり合って所定凹部幅となっている。このキー（ファーストキー１３）の運用状態において、このキーとは別のキー（セカンドキー１５）を挿入すると、バー進入凹部６７は、ロッキングバー２５に合わない。この状態でセカンドキー１５が使用されると、可変チップ２９とともにチップ側バー進入凹部６５が移動され、切替溝５７と可変ピン６９との係合位置が変り、バー進入凹部６７の所定凹部幅が変わる。つまり、シリンダー錠１１は、別のキー（セカンドキー１５）の運用状態となる。この別のキー（セカンドキー１５）の運用時に、当初のキー（ファーストキー１３）を挿入しても、変更されたバー進入凹部６７が一致せず、施解錠操作は不可能となる。
【０００８】
本発明の請求項２記載のシリンダー錠の構造は、請求項１記載のシリンダー錠１１（７１）の構造であって、
前記切替溝５７（８１）が一端側凹所５９と他端側凹所６１とを有する略へ字状に形成され、
前記可変チップ２９（７５）は、前記可変ピン６９が前記切替溝５７（８１）の一端側凹所５９または他端側凹所６１に配置されることで、前記可変タンブラ２７（７３）に対して二位置に段階的に切り替え配置されることを特徴とする。
【０００９】
このシリンダー錠１１の構造では、ロッキングバー２５の押圧によって可変チップ２９（７５）が移動されると、可変チップ２９（７５）の可変ピン６９が、可変タンブラ２７（７３）の略へ字状の切替溝５７（８１）に沿って一端側凹所５９から他端側凹所６１へ移動される。つまり、可変チップ２９（７５）が二位置に切り替え配置される。これにより、チップ側バー進入凹部６５がタンブラ側バー進入凹部５１に対して移動され、バー進入凹部６７は、キー（ファーストキー１３）挿入時にロッキングバー２５の後退を許容する所定凹部幅から、別のキー（セカンドキー１５）挿入時にロッキングバー２５の後退を許容する異なる所定凹部幅へと変更される。
【００１０】
本発明の請求項３記載のシリンダー錠１１の構造は、請求項２記載のシリンダー錠１１の構造であって、
前記内筒２３には、前記ロッキングバー２５の前記内筒２３への後退により押圧されて半径方向内側に移動される可変仕切板３１が設けられ、
前記可変仕切板３１に前記可変チップ２９がタンブラ付勢バネ６３により付勢されて設けられ、
前記ロッキングバー２５の後退により前記可変仕切板３１とともに移動された前記可変チップ２９が、前記タンブラ付勢バネ６３の付勢力によって前記可変タンブラ２７に対し前記切替溝５７の一端側凹所５９から他端側凹所６１に移動されることを特徴とする。
【００１１】
このシリンダー錠１１の構造では、別のキー（セカンドキー１５）を回転開始すると、ロッキングバー２５が可変チップ２９と可変仕切板３１を持ち上げるように径方向内側方向へ押し込む。このときの可変タンブラ２７は、可変仕切板３１に対して、タンブラ側バー進入凹部５１がロッキングバー２５を許容する位置のままに保持される。また、可変チップ２９の可変ピン６９は、可変タンブラ２７の略へ字状（好ましくはコ字状）の切替溝５７を奥方向に移動される。セカンドキー１５の回転を戻した直後、可変チップ２９の可変ピン６９は、タンブラ付勢バネ６３によって切替溝５７の一端側凹所５９から他端側凹所６１に移動されている。その結果、チップ側バー進入凹部６５は、移動され、バー進入凹部６７の位置が変わる。可変仕切板３１の位置が戻ると、可変ピン６９が切替溝５７のコ字状の他端側凹所６１に係合し、その位置に保持される。別のキー（セカンドキー１５）の抜脱の後、シリンダー錠１１は、別のキー（セカンドキー１５）の運用状態となり、当初のキー（ファーストキー１３）は使用不能となる。
【００１２】
本発明の請求項４記載のシリンダー錠７１の構造は、請求項２記載のシリンダー錠１１の構造であって、
切替中心軸７７と摺動長穴７９を係合させることで前記可変チップ７５が前記可変タンブラ７３に対して揺動及び前記摺動長穴７９の長手方向に移動自在に設けられ、
前記内筒２３と前記可変チップ７５との間には前記可変チップ７５を前記摺動長穴７９の長手方向に付勢するタンブラ付勢バネ６３が設けられ、
前記ロッキングバー２５の後退により押圧された前記可変チップ７５が、前記タンブラ付勢バネ６３の付勢力によって前記可変タンブラ７３に対しへ字状の前記切替溝８１の一端側凹所５９から他端側凹所６１に移動されることを特徴とする。
【００１３】
このシリンダー錠７１の構造では、別のキー（セカンドキー１５）を回転開始すると、ロッキングバー２５が可変チップ７５を持ち上げ、切替中心軸７７を中心に揺動される。同時に、可変チップ７５は、切替中心軸７７に対して摺動長穴７９を摺動させて、タンブラ付勢バネ６３の付勢力によって移動される。このときの可変タンブラ７３は、可変仕切板３１に対して、タンブラ側バー進入凹部５１がロッキングバー２５を許容する位置のままに保持される。この移動により、可変チップ７５の可変ピン６９は、可変タンブラ７３のへ字状の切替溝８１を奥方向に移動される。別のキー（セカンドキー１５）の回転を戻した直後、可変チップ７５の可変ピン６９は、タンブラ付勢バネ６３によって切替溝８１の他端側凹所６１に移動されてその位置に保持される。その結果、チップ側バー進入凹部６５が移動され、バー進入凹部６７の位置が変わり、シリンダー錠７１は、セカンドキー１５の運用状態となる。
【発明の効果】
【００１４】
本発明に係る請求項１記載のシリンダー錠の構造によれば、当初使用するキー（ファーストキー）で運用されているシリンダー錠に、ニュートラルキーなどの別途キーを必要とせず、新たな別のキー（セカンドキー）を使用するだけで、キーチェンジを行うことができる。また、この新たな別のキー（セカンドキー）を使用した後は、当初のキー（ファーストキー）を使用することは不可能となる。
【００１５】
本発明に係る請求項２記載のシリンダー錠の構造によれば、切替溝の一端側凹所または他端側凹所に可変ピンを配置することで、簡素な構造により、可変チップを、当初のキー（ファーストキー）の使用可能位置から新たな別のキー（セカンドキー）の使用可能な位置へ不可逆的に２位置切り替えできる。
【００１６】
本発明に係る請求項３記載のシリンダー錠の構造によれば、内筒の回転によって後退するロッキングバーを利用して可変仕切板を移動し、可変仕切板の移動によって可変ピンをコ字状の切替溝の一端側凹所から他端側凹所に移動して、可変タンブラに対して可変チップを、確実な不可逆構造で２位置切り替えでき、防犯性を高めることができる。
【００１７】
本発明に係る請求項４記載のシリンダー錠の構造によれば、内筒の回転によって後退するロッキングバーを利用して可変チップを揺動し、タンブラ付勢バネと摺動長穴とによって、可変ピンをへ字状の切替溝の一端側凹所から他端側凹所に移動して、可変タンブラに対して可変チップを、少ない部品点数で不可逆的に２位置切り替えでき、製品を小型且つ安価に構成できる。
【図面の簡単な説明】
【００１８】
【図１】本発明の第１実施形態に係るシリンダー錠の構造を表す断面図である。
【図２】図１に示したシリンダー錠の分解正面図である。
【図３】（ａ）はファーストキー運用時の第１実施形態に係るシリンダー錠の断面図、（ｂ）は（ａ）の要部分解正面図である。
【図４】（ａ）はセカンドキー挿入時の第１実施形態に係るシリンダー錠の断面図、（ｂ）は（ａ）の要部分解正面図である。
【図５】（ａ）はセカンドキー回転時の第１実施形態に係るシリンダー錠の断面図、（ｂ）は（ａ）の要部分解正面図である。
【図６】（ａ）はセカンドキーの回転が戻された第１実施形態に係るシリンダー錠の断面図、（ｂ）は（ａ）の要部分解正面図である。
【図７】（ａ）はセカンドキーに切替完了後の第１実施形態に係るシリンダー錠の断面図、（ｂ）は（ａ）の要部分解正面図である。
【図８】（ａ）はセカンドキーが抜かれた状態の第１実施形態に係るシリンダー錠の断面図、（ｂ）は（ａ）の要部分解正面図である。
【図９】（ａ）はセカンドキー運用時にファーストキーが使用された状態の第１実施形態に係るシリンダー錠の断面図、（ｂ）は（ａ）の要部分解正面図である。
【図１０】ファーストキー運用時にマスターキーが挿入された状態の第１実施形態に係るシリンダー錠の断面図である。
【図１１】セカンドキー運用時にマスターキーが挿入された状態の第１実施形態に係るシリンダー錠の断面図である。
【図１２】本発明の第２実施形態に係るシリンダー錠の構造を表す断面図である。
【図１３】図１２に示したシリンダー錠の分解正面図である。
【図１４】（ａ）は図１３に示した可変タンブラの拡大正面図、（ｂ）は（ａ）の平面図、（ｃ）は図１３に示した可変チップの拡大正面図、（ｄ）は（ｃ）の平面図である。
【図１５】（ａ）はファーストキー運用時の第２実施形態に係るシリンダー錠の断面図、（ｂ）は（ａ）の要部分解正面図である。
【図１６】（ａ）はセカンドキー挿入時の第２実施形態に係るシリンダー錠の断面図、（ｂ）は（ａ）の要部分解正面図である。
【図１７】（ａ）はセカンドキー回転時の第２実施形態に係るシリンダー錠の断面図、（ｂ）は（ａ）の要部分解正面図である。
【図１８】（ａ）はセカンドキーの回転が戻された第２実施形態に係るシリンダー錠の断面図、（ｂ）は（ａ）の要部分解正面図である。
【図１９】（ａ）はセカンドキーに切替完了後の第２実施形態に係るシリンダー錠の断面図、（ｂ）は（ａ）の要部分解正面図である。
【図２０】（ａ）はセカンドキーが抜かれた状態の第２実施形態に係るシリンダー錠の断面図、（ｂ）は（ａ）の要部分解正面図である。
【図２１】（ａ）はセカンドキー運用時にファーストキーが使用された状態の第２実施形態に係るシリンダー錠の断面図、（ｂ）は（ａ）の要部分解正面図である。
【図２２】ファーストキー運用時にマスターキーが挿入された状態の第２実施形態に係るシリンダー錠の断面図である。
【図２３】セカンドキー運用時にマスターキーが挿入された状態の第２実施形態に係るシリンダー錠の断面図である。
【発明を実施するための形態】
【００１９】
以下、本発明に係る実施形態を図面を参照して説明する。
図１は本発明の第１実施形態に係るシリンダー錠の構造を表す断面図、図２は図１に示したシリンダー錠の分解正面図である。
このシリンダー錠の構造は、図１に示すシリンダー錠１１に適用される。なお、図１中の上半分の機構は、下半分と同様機構のため説明を省略する。シリンダー錠１１は、少なくとも上下片側の機構を有することで本発明の作用効果を奏する。上下に機構を設ければ鍵違い数を増加させることができる。また、片側半分の機構はオプションと考えてもよい。
【００２０】
シリンダー錠１１には、当初使用されるキーであるファーストキー１３、新たに使用される別のキーであるセカンドキー１５、及びマスターキー１７が使用される。これらファーストキー１３、セカンドキー１５、マスターキー１７は、異なる刻み深さのキー刻み１９を有する。シリンダー錠１１は、外筒２１と、内筒２３と、ロッキングバー２５と、可変タンブラ２７と、可変チップ２９と、可変仕切板３１と、を有している。
【００２１】
外筒２１の内方には左右一対の支持柱３３と上下一対のガイド軸３５が固定され、支持柱３３及びガイド軸３５は外筒２１の軸線に沿う方向に延在してそれぞれが鍵穴３７を挟んで配設される。外筒２１の内側には内筒２３が回転自在に収容され、内筒２３は鍵穴３７を有している。内筒２３にはバー収容溝３９が形成され、バー収容溝３９には不図示のバー付勢バネによってロッキングバー２５が半径方向外側に付勢されて収容されている。ロッキングバー２５は、内筒２３から突出して外筒２１のロック溝４１に進入して内筒２３の回転を阻止するとともに、内筒２３への後退が許容されることで内筒２３を回転可能にする。
【００２２】
内筒２３には可変仕切板３１が半径方向に移動自在に設けられ、可変仕切板３１はロッキングバー２５の内筒２３への後退により押圧されて半径方向内側に移動される。可変仕切板３１は、直径方向両側に設けられる一対の可変バネ４３によって外筒２１内で半径方向外側に付勢されている。
【００２３】
外筒２１の内方にはガイド軸３５にガイド穴４５を係合して可変タンブラ２７が設けられ、可変タンブラ２７はガイド軸３５にガイド穴４５を摺動させて外筒２１の直径に沿う方向に移動自在となっている。可変タンブラ２７の上縁にはキー進入部４７が形成され、キー進入部４７は鍵穴３７の半部である下半部を包囲する。キー進入部４７には係合肩部４９が形成され、係合肩部４９は鍵穴３７に挿入されたファーストキー１３、セカンドキー１５、マスターキー１７のキー刻み１９によってそれぞれの所定の位置へ可変タンブラ２７を移動させる。可変タンブラ２７の下縁にはタンブラ側バー進入凹部５１が形成され、タンブラ側バー進入凹部５１はロッキングバー２５の内筒２３への後退を許容する。すなわち、可変タンブラ２７は、内筒２３に移動自在に設けられ、鍵穴３７に挿入されたキー（ファーストキー１３）の使用によりタンブラ側バー進入凹部５１をロッキングバー２５の内筒２３への後退を許容する位置に配置する。
【００２４】
可変タンブラ２７の正面には規制ピン５３が突設され、規制ピン５３は可変仕切板３１の上縁に形成される規制解除溝５５に係合する。可変タンブラ２７は、規制ピン５３が規制解除溝５５に係合することで、可変仕切板３１に対しての移動が規制される。可変タンブラ２７にはコ字状の切替溝５７が穿設され、切替溝５７は一端側と他端側に窪んだ一端側凹所５９と他端側凹所６１を有している。
【００２５】
可変仕切板３１には可変チップ２９がタンブラ付勢バネ６３により、可変タンブラ３１の移動方向と同方向となり、且つ可変タンブラ３１に対してその移動方向が一方向となるよう付勢されて設けられている。可変チップ２９の下縁にはチップ側バー進入凹部６５が形成される。ここで、タンブラ側バー進入凹部５１は広凹部幅に形成され、チップ側バー進入凹部６５は狭凹部幅に形成される。これらタンブラ側バー進入凹部５１と、チップ側バー進入凹部６５とは、重なり合って所定凹部幅のバー進入凹部６７（図１参照）を構成している。従って、可変タンブラ２７に対して可変チップ２９が移動されれば、バー進入凹部６７の凹部幅は変更される。つまり、ロッキングバー２５の受け入れ、受け入れ拒否が変更される。
【００２６】
可変チップ２９は、ロッキングバー２５の後退により可変仕切板３１とともに移動されると、タンブラ付勢バネ６３の付勢力によって可変タンブラ２７に対しコ字状の切替溝５７の一端側から他端側に移動される。可変チップ２９は、可変ピン６９が切替溝５７のコ字状の一端側または他端側に配置され係合することで、可変タンブラ２７に対して２位置に切り替え配置される。可変チップ２９は、切替溝５７と可変ピン６９を係合させることで、可変タンブラ２７に相対移動自在となるとともに、一端側凹所５９または他端側凹所６１に係合することで相対移動不能となり、セカンドキー１５の使用によってロッキングバー２５の進入を許容していたタンブラ側バー進入凹部５１のバー進入を不能にして、異なる位置でバー進入を許容することとなる。
【００２７】
次に、上記構成を有するシリンダー錠１１の構造の作用を説明する。
図３（ａ）はファーストキー運用時の第１実施形態に係るシリンダー錠１１の断面図、（ｂ）は（ａ）の要部分解正面図、図４（ａ）はセカンドキー挿入時の第１実施形態に係るシリンダー錠１１の断面図、（ｂ）は（ａ）の要部分解正面図、図５（ａ）はセカンドキー回転時の第１実施形態に係るシリンダー錠１１の断面図、（ｂ）は（ａ）の要部分解正面図、図６（ａ）はセカンドキー１５の回転が戻された第１実施形態に係るシリンダー錠１１の断面図、（ｂ）は（ａ）の要部分解正面図、図７（ａ）はセカンドキー１５に切替完了後の第１実施形態に係るシリンダー錠１１の断面図、（ｂ）は（ａ）の要部分解正面図、図８（ａ）はセカンドキー１５が抜かれた状態の第１実施形態に係るシリンダー錠１１の断面図、（ｂ）は（ａ）の要部分解正面図、図９（ａ）はセカンドキー運用時にファーストキー１３が使用された状態の第１実施形態に係るシリンダー錠１１の断面図、（ｂ）は（ａ）の要部分解正面図、図１０はファーストキー運用時にマスターキー１７が挿入された状態の第１実施形態に係るシリンダー錠１１の断面図、図１１はセカンドキー運用時にマスターキー１７が挿入された状態の第１実施形態に係るシリンダー錠１１の断面図である。
このシリンダー錠１１の構造では、図３に示すファーストキー１３を挿入した状態において、ロッキングバー２５とバー進入凹部６７とが一致し、ロッキングバー２５の内筒２３への後退が許容される状態となる。
【００２８】
ここで、バー進入凹部６７は、狭凹部幅のタンブラ側バー進入凹部５１と、広凹部幅のチップ側バー進入凹部６５とが重なり合って所定凹部幅となっている。このファーストキー１３の運用状態において、図４に示すようにセカンドキー１５を挿入すると、バー進入凹部６７は、ロッキングバー２５に合わない。この状態で図５に示すようにセカンドキー１５を回転開始すると、ロッキングバー２５が可変バネ４３に抗して、可変チップ２９と可変仕切板３１を持ち上げるように径方向内側方向へ押し込む。なお、可変タンブラ２７は、上縁が支持柱３３に当接していて押し込まれない。
【００２９】
このときの可変タンブラ２７は、可変仕切板３１に対して、可変仕切板３１に形成されている規制解除溝５５に規制ピン５３が係合し、タンブラ側バー進入凹部５１がロッキングバー２５を許容する位置のままに保持される。また、可変チップ２９の可変ピン６９は、可変タンブラ２７の切替溝５７を図５の左斜め上となる奥方向（移動可能位置）に移動される。
【００３０】
図６に示すようにセカンドキー１５の回転を戻した直後、可変チップ２９の可変ピン６９は、タンブラ付勢バネ６３によって切替溝５７の一端側凹所５９から他端側凹所６１に移動されている。その結果、チップ側バー進入凹部６５は、移動され、バー進入凹部６７の位置が変わる。
【００３１】
図７に示すように可変バネ４３の付勢力で可変仕切板３１の位置が戻ると、可変ピン６９が切替溝５７のコ字状の他端側凹所６１に係合し、その位置に保持される。すなわち、切替溝５７に対する可変ピン６９の係合位置が変更され、またその係合位置を戻すことなく切り替え後の状態が維持される。図８に示すセカンドキー１５の抜脱の後、シリンダー錠１１は、セカンドキー１５の運用状態となる。
【００３２】
図９に示すようにセカンドキー１５の運用時に、ファーストキー１３をシリンダー錠１１に挿入しても、変更されたバー進入凹部６７が一致せず、ファーストキー１３は使用不能となって施解錠操作は不可能となる。
【００３３】
また、マスターキー１７を使用する場合、図１０に示すようにファーストキー１３にて運用中のシリンダー錠１１にマスターキー１７を挿入しても、図１１に示すようにセカンドキー１５にて運用中のシリンダー錠１１にマスターキー１７を挿入しても、バー進入凹部６７の幅長が、ファーストキー１３、セカンドキー１５、マスターキー１７のそれぞれに対応するよう設定されていることで、何れの運用状態においても施解錠が可能となる。
【００３４】
次に、本発明の第２実施形態に係るシリンダー錠７１の構造を説明する。
図１２は本発明の第２実施形態に係るシリンダー錠７１の構造を表す断面図、図１３は図１２に示したシリンダー錠７１の分解正面図、図１４（ａ）は図１３に示した可変タンブラ７３の拡大正面図、（ｂ）は（ａ）の平面図、（ｃ）は図１３に示した可変チップ７５の拡大正面図、（ｄ）は（ｃ）の平面図である。なお、図１〜図１１に示した部材及び部位と同等の部材及び部位には同一の符号を付し重複する説明は省略する。
このシリンダー錠７１の構造は、上記の可変仕切板３１を備えない。可変チップ７５は、可変タンブラ７３に直接設けられている。可変タンブラ７３には切替中心軸７７が正面に突設される。内筒２３と可変チップ７５との間には、可変チップ７５を摺動長穴７９の長手方向に付勢するタンブラ付勢バネ６３が設けられている。可変チップ７５は、ロッキングバー２５によって押し上げられて揺動されるようになっている。
【００３５】
図１４に示すように、可変タンブラ７３にはへ字状の切替溝８１が穿設される。一方、可変チップ７５には切替中心軸７７に係合する摺動長穴７９が穿設される。また、可変チップ７５には切替溝８１に係合する可変ピン６９が突設される。つまり、可変チップ７５は、切替中心軸７７に対して揺動自在且つスライド自在に支持されることで、可変ピン６９が切替溝８１の一端側凹所５９から他端側凹所６１へ移動可能となっている。ロッキングバー２５の後退により押圧された可変チップ７５は、タンブラ付勢バネ６３の付勢力によって可変タンブラ７３に対しへ字状の切替溝８１の一端側から他端側に移動される。
【００３６】
次に、第２実施形態に係るシリンダー錠７１の構造の作用を説明する。
図１５（ａ）はファーストキー運用時の第２実施形態に係るシリンダー錠７１の断面図、（ｂ）は（ａ）の要部分解正面図、図１６（ａ）はセカンドキー挿入時の第２実施形態に係るシリンダー錠７１の断面図、（ｂ）は（ａ）の要部分解正面図、図１７（ａ）はセカンドキー回転時の第２実施形態に係るシリンダー錠７１の断面図、（ｂ）は（ａ）の要部分解正面図、図１８（ａ）はセカンドキー１５の回転が戻された第２実施形態に係るシリンダー錠７１の断面図、（ｂ）は（ａ）の要部分解正面図、図１９（ａ）はセカンドキー１５に切替完了後の第２実施形態に係るシリンダー錠７１の断面図、（ｂ）は（ａ）の要部分解正面図、図２０（ａ）はセカンドキー１５が抜かれた状態の第２実施形態に係るシリンダー錠７１の断面図、（ｂ）は（ａ）の要部分解正面図、図２１（ａ）はセカンドキー運用時にファーストキー１３が使用された状態の第２実施形態に係るシリンダー錠７１の断面図、（ｂ）は（ａ）の要部分解正面図、図２２はファーストキー運用時にマスターキー１７が挿入された状態の第２実施形態に係るシリンダー錠７１の断面図、図２３はセカンドキー運用時にマスターキー１７が挿入された状態の第２実施形態に係るシリンダー錠７１の断面図である。
このシリンダー錠７１の構造では、図１５に示すファーストキー１３を挿入した状態において、ロッキングバー２５とバー進入凹部６７とが一致し、ロッキングバー２５の内筒２３への後退が許容される状態となる。
【００３７】
このファーストキー１３の運用状態において、図１６に示すようにセカンドキー１５を挿入すると、バー進入凹部６７は、可変チップ７５に干渉してロッキングバー２５に合わない。この状態で図１７に示すようにセカンドキー１５を回転開始すると、ロッキングバー２５が可変チップ７５を持ち上げ、切替中心軸７７を中心に揺動される。なお、可変チップ７５は、上縁が支持柱３３に当接していて押し込まれない。同時に、可変チップ７５は、切替中心軸７７に対して摺動長穴７９を摺動させて、タンブラ付勢バネ６３の付勢力によって移動される。
【００３８】
図１８に示すようにセカンドキー１５の回転を戻した直後、可変チップ７５の可変ピン６９は、タンブラ付勢バネ６３によって切替溝８１の他端側に移動されている。その結果、チップ側バー進入凹部６５は、移動され、バー進入凹部６７の位置が変わる。
【００３９】
図１９に示すようにタンブラ付勢バネ６３による可変チップ７５の移動が完了すると、可変ピン６９が切替溝８１のへ字状の他端側に係合し、その係合位置に保持される。図２０に示すセカンドキー１５の抜脱の後、シリンダー錠７１は、セカンドキー１５の運用状態となる。
【００４０】
図２１に示すようにセカンドキー１５の運用時に、ファーストキー１３をシリンダー錠７１に挿入しても、変更されたバー進入凹部６７が一致せず、施解錠操作は不可能となる。
【００４１】
また、マスターキー１７を使用する場合、図２２に示すようにファーストキー１３にて運用中のシリンダー錠７１にマスターキー１７を挿入しても、図２３に示すようにセカンドキー１５にて運用中のシリンダー錠７１にマスターキー１７を挿入しても、バー進入凹部６７の幅長が、ファーストキー１３、セカンドキー１５、マスターキー１７のそれぞれに対応するよう設定されていることで、何れの運用状態においても施解錠が可能となる。
【００４２】
このシリンダー錠７１の構造によれば、内筒２３の回転によって後退するロッキングバー２５を利用して可変チップ７５を揺動し、タンブラ付勢バネ６３と摺動長穴７９とによって、可変ピン６９をへ字状の切替溝５７の一端側から他端側に移動して、可変タンブラ７３に対して可変チップ７５を、少ない部品点数で不可逆的に２位置切り替えでき、製品を小型且つ安価に構成できる。
【００４３】
従って、本実施形態に係るシリンダー錠１１及びシリンダー錠７１の構造によれば、ファーストキー１３で運用されている状態から、ニュートラルキーなどの別途キーを必要とせず、セカンドキー１５を使用するだけで、キーチェンジを行うことができる。
【符号の説明】
【００４４】
１１，７１…シリンダー錠
１３…キー（当初使用されるキー，ファーストキー）
１５…別のキー（新たに使用されるキー，セカンドキー）
２１…外筒
２３…内筒
２５…ロッキングバー
２７，７３…可変タンブラ
２９，７５…可変チップ
３１…可変仕切板
３７…鍵穴
４１…ロック溝
５１…タンブラ側バー進入凹部                                                    ５７，８１…切替溝
５９…一端側凹所
６１…他端側凹所
６３…タンブラ付勢バネ
６５…チップ側バー進入凹部
６９…可変ピン
７７…切替中心軸
７９…摺動長穴
【図１】
2014163184.tif 000003
【図２】
2014163184.tif 000004
【図３】
2014163184.tif 000005
【図４】
2014163184.tif 000006
【図５】
2014163184.tif 000007
【図６】
2014163184.tif 000008
【図７】
2014163184.tif 000009
【図８】
2014163184.tif 000010
【図９】
2014163184.tif 000011
【図１０】
2014163184.tif 000012
【図１１】
2014163184.tif 000013
【図１２】
2014163184.tif 000014
【図１３】
2014163184.tif 000015
【図１４】
2014163184.tif 000016
【図１５】
2014163184.tif 000017
【図１６】
2014163184.tif 000018
【図１７】
2014163184.tif 000019
【図１８】
2014163184.tif 000020
【図１９】
2014163184.tif 000021
【図２０】
2014163184.tif 000022
【図２１】
2014163184.tif 000023
【図２２】
2014163184.tif 000024
【図２３】
2014163184.tif 000025